(57)【要約】【課題】  多種多様な移動通信端末が備える表示デバイスにＱＲコードリーダで読み取れる最適なＱＲコードを生成するＱＲコード生成装置及び生成方法、ＱＲコード生成システムを提供することを目的とする。【解決手段】  端末情報リスト３０を備えたワークステーション・サーバ等の情報処理装置であり、ユーザ端末１０が送信した機種識別子を受信する機種識別子受信部２１とＱＲコードを作成するＱＲコード作成部２２と、該ＱＲコード作成部２２をユーザ端末１０へ送信するＱＲコード送信部２３を備えている。【選択図】  図２
2006252053.tif 000002
【特許請求の範囲】
【請求項１】
移動通信端末からの機種識別情報を受信する手段と、
複数の移動通信端末の端末情報とＱＲコードを読み取る読取装置の性能情報が登録されている情報管理手段と、
前記機種識別情報から前記情報管理手段に該当する移動通信端末が登録されているかを検索する検索手段と、
前記該当する移動通信端末の端末情報がある場合には、該端末情報と前記読取装置の性能情報に基づいたＱＲコードを生成する生成手段と、
該生成手段によって生成されたＱＲコードを前記移動通信端末へ送信する送信手段とを有することを特徴とするＱＲコード生成装置。
【請求項２】
ユーザ端末から移動体通信端末の機種識別情報を受信する手段と、
複数の移動通信端末の端末情報とＱＲコードを読み取る読取装置の性能情報が登録されている情報管理手段と、
前記機種識別情報から前記端末情報管理手段に該当する移動通信端末が登録されているかを検索する検索手段と、
前記該当する移動通信端末の端末情報がある場合には、該端末情報と前記読取装置の性能情報に基づいたＱＲコードを生成する生成手段と、
該生成手段によって生成されたＱＲコードを前記移動通信端末へ送信する送信手段とを有することを特徴とするＱＲコード生成装置。
【請求項３】
前記端末情報とは、前記移動通信端末が備える表示装置の画面領域と画面の表示領域のサイズであることを特徴とする請求項１または２記載のＱＲコード生成装置。
【請求項４】
移動通信端末から機種識別情報を受信するステップと、
予め複数の移動通信端末の端末情報とＱＲコードを読み取る読取装置の性能情報が登録されている情報管理手段に前記受信した機種識別情報に該当する端末情報が登録されているかを検索するステップと、
前記受信した機種識別情報に該当する端末情報がある場合に、前記端末情報と前記読取装置の性能情報に基づいたＱＲコードを生成するステップと、
生成したＱＲコードを前記移動通信端末へ送信するステップとを備えることを特徴とするＱＲコード生成方法。
【請求項５】
ユーザ端末から移動通信端末の機種識別情報を受信する受信ステップと、
予め複数の移動通信端末の端末情報とＱＲコードを読み取る読取装置の性能情報が登録されている情報管理手段に前記受信した機種識別情報に該当する端末情報が登録されているかを検索するステップと、
前記受信した機種識別情報に該当する端末情報がある場合に、前記端末情報と前記読取装置の性能情報に基づいたＱＲコードを生成するステップと、
生成したＱＲコードを前記移動通信端末へ送信するステップとを備えることを特徴とするＱＲコード生成方法。
【請求項６】
前記端末情報とは、前記移動通信端末が備える表示装置の画面領域及び画面の表示領域のサイズであることを特徴とする請求項４または５記載のＱＲコード生成方法。
【請求項７】
前記ＱＲコードを生成するステップでは、前記端末情報である画面領域のサイズからピクセルサイズを決定するステップを有することを特徴とする請求項６記載のＱＲコード生成方法。
【請求項８】
前記ピクセルサイズを決定するステップにより決定されたピクセルサイズからＱＲコードのセルサイズ及びＱＲコードに埋め込むデータ量を決定することを特徴とする請求項７記載のＱＲコード生成方法。
【請求項９】
ＱＲコードを表示可能な表示装置を備える移動通信端末と、
複数の移動通信端末の端末情報とＱＲコードを読み取る読取装置の性能情報を管理する情報管理手段を備え、前記端末情報に基づいたＱＲコードを生成することができるＱＲコード生成サーバとを備え、
前記移動通信端末が機種識別情報をＱＲコード生成サーバへ送信し、
前記ＱＲコード生成サーバが機種識別情報を受信したら、前記端末情報管理手段に登録されている端末情報と前記機種識別情報とを比較し、該当する端末情報がある場合には、
前記該当する端末情報から前記移動通信端末が備える表示装置の性能と前記読取装置の性能情報に対応したＱＲコードを生成し、
前記生成したＱＲコードを前記移動通信端末へ送信することを特徴とするＱＲコード生成システム。
【請求項１０】
移動通信端末の機種識別情報を送信可能なクライアント端末と、
ＱＲコードを表示可能な表示装置を備える移動通信端末と、
複数の移動通信端末の端末情報とＱＲコードを読み取る読取装置の性能情報を管理する端末情報管理手段を有し、前記端末情報に基づいたＱＲコードを生成することができるＱＲコード生成サーバとを備え、
前記クライアント端末は、前記ＱＲコード生成サーバへ前記移動通信端末の機種識別情報を送信し、
前記ＱＲコード生成サーバが機種識別情報を受信したら、前記端末情報管理手段に登録されている端末情報と前記機種識別情報とを比較し、該当する端末情報がある場合には、
前記該当する端末情報から前記移動通信端末が備える表示装置の性能と前記読取装置の性能情報に対応したＱＲコードを生成し、
前記生成したＱＲコードを前記移動通信端末へ送信することを特徴とするＱＲコード生成システム。
【請求項１１】
前記端末情報は、前記移動通信端末が備える表示装置の画面領域及び画面の表示領域のサイズであることを特徴とする請求項９または１０記載のＱＲコード生成システム。
【発明の詳細な説明】
【技術分野】
【０００１】
本発明は、移動通信端末が有する表示デバイスの性能を最大限に生かしたＱＲコードの生成を行うＱＲコード生成装置及び生成方法、ＱＲコード生成システムに関する。
【背景技術】
【０００２】
近年、インターネットを介して各種ウェブサイトにアクセス可能な携帯電話の普及に伴い、飲食店や販売店などで利用することができるポイントカードの発行に携帯電話を利用する機会が増えている。顧客となる利用者は、携帯電話から飲食店や販売店などのウェブページにアクセスし、顧客情報を入力、送信することで、店舗側は、送信された顧客情報を集計すると共に、利用者の携帯電話に、顧客情報や店舗情報、ポイント数などのデータで生成されたＱＲコードを発行し、送信する。
【０００３】
利用者は、店舗側から送信されたＱＲコードを携帯電話のメモリ等に保存することで、その店舗を利用したときに、ＱＲコードを携帯電話の表示ディスプレイに表示し、店舗側では、ＱＲコードリーダでＱＲコードを読み取り、利用者にポイント数を加算するといったサービスが行われている。
【０００４】
また、特許文献１には、顧客となる利用者が顧客情報登録のためのウェブページのＵＲＬの入力する必要がなく、短時間で簡単に顧客情報を登録することができる可能な顧客情報登録システムおよび顧客情報登録方法が記載されている。
【特許文献１】特開２００４−６４６５６号公報
【発明の開示】
【発明が解決しようとする課題】
【０００５】
特許文献１に記載されている発明では、顧客となる利用者は顧客情報登録のために外部接続装置を利用者自身の携帯電話装置に接続することによって、自動的に顧客情報登録のための電子メールアドレス宛の電子メールを顧客自身の携帯電話装置から送信することが可能となり、送信される電子メールは利用者自身の携帯電話装置の電子メールアドレス情報を含むものである。顧客情報登録装置はこの電子メールアドレス宛、すなわち利用者自身の携帯電話装置宛に顧客情報登録のためのＵＲＬ情報を含む電子メールを返信する。利用者は携帯電話装置によってこの電子メールを受信することにより、顧客情報登録のためのＵＲＬを入力することなく、この電子メールに添付されたＵＲＬ情報に基づいて顧客情報登録のためのウェブページにアクセスし、このウェブページ上から顧客情報を登録することが可能となる。
【０００６】
また、ＵＲＬ情報に基づいて携帯電話装置から送信された顧客情報の一部または全部を二次元バーコード化し、携帯電話装置へ提供することにより、登録された顧客情報を二次元バーコード化して携帯電話装置へ提供し、顧客の携帯電話装置自体に二次元バーコード化された顧客情報を登録しておくことができる。
【０００７】
しかしながら、近年、携帯電話装置の種類は様々であり、携帯電話装置ごとにディスプレイサイズ、解像度、表示領域等が異なるため、同じＱＲコードでも携帯電話装置の機種によって読み取り精度の変化および、表示可否が存在し、ＱＲコードの生成側で判断することができなかった。また、携帯電話装置の旧機種に合わせてＱＲコードを生成した場合、近年開発された大画面・高解像度の表示デバイスの性能を生かしきれないといった問題が生じてしまう。
【０００８】
本発明は係る問題に鑑みてなされたものであり、多種多様な移動通信端末が備える表示デバイスにＱＲコードリーダで読み取れる最適なＱＲコードを生成することによりＱＲコードの識別率を保障することができるＱＲコード生成装置及びＱＲコード生成システム。
【課題を解決するための手段】
【０００９】
上記目的を達成するために、請求項１記載のＱＲコード生成装置は、移動通信端末からの機種識別情報を受信する手段と、複数の移動通信端末の端末情報とＱＲコードを読み取る読取装置の性能情報が登録されている情報管理手段と、前記機種識別情報から前記情報管理手段に該当する移動通信端末が登録されているかを検索する検索手段と、前記該当する移動通信端末の端末情報がある場合には、該端末情報と前記読取装置の性能情報に基づいたＱＲコードを生成する生成手段と、該生成手段によって生成されたＱＲコードを前記移動通信端末へ送信する送信手段とを有することを特徴とする。
【００１０】
請求項２記載のＱＲコード生成装置は、ユーザ端末から移動体通信端末の機種識別情報を受信する手段と、複数の移動通信端末の端末情報とＱＲコードを読み取る読取装置の性能情報が登録されている情報管理手段と、前記機種識別情報から前記端末情報管理手段に該当する移動通信端末が登録されているかを検索する検索手段と、前記該当する移動通信端末の端末情報がある場合には、該端末情報と前記読取装置の性能情報に基づいたＱＲコードを生成する生成手段と、該生成手段によって生成されたＱＲコードを前記移動通信端末へ送信する送信手段とを有することを特徴とする。
【００１１】
請求項３記載の発明は、請求項１または２記載のＱＲコード生成装置であって、端末情報とは、移動通信端末が備える表示装置の画面領域と画面の表示領域のサイズであることを特徴とする。
【００１２】
請求項４記載のＱＲコード生成方法は、移動通信端末から機種識別情報を受信するステップと、予め複数の移動通信端末の端末情報とＱＲコードを読み取る読取装置の性能情報が登録されている情報管理手段に前記受信した機種識別情報に該当する端末情報が登録されているかを検索するステップと、前記受信した機種識別情報に該当する端末情報がある場合に、前記端末情報と前記読取装置の性能情報に基づいたＱＲコードを生成するステップと、生成したＱＲコードを前記移動通信端末へ送信するステップとを備えることを特徴とする。
【００１３】
請求項５記載のＱＲコード生成方法は、ユーザ端末から移動通信端末の機種識別情報を受信する受信ステップと、予め複数の移動通信端末の端末情報とＱＲコードを読み取る読取装置の性能情報が登録されている情報管理手段に前記受信した機種識別情報に該当する端末情報が登録されているかを検索するステップと、前記受信した機種識別情報に該当する端末情報がある場合に、前記端末情報と前記読取装置の性能情報に基づいたＱＲコードを生成するステップと、生成したＱＲコードを前記移動通信端末へ送信するステップとを備えることを特徴とする。
【００１４】
請求項６記載の発明は、請求項４または５記載のＱＲコード生成方法であって、端末情報とは、移動通信端末が備える表示装置の画面領域及び画面の表示領域のサイズであることを特徴とする。
【００１５】
請求項７記載の発明は、請求項６記載のＱＲコード生成方法であって、ＱＲコードを生成するステップでは、端末情報である画面領域のサイズからピクセルサイズを決定するステップを有することを特徴とする。
【００１６】
請求項８記載の発明は、請求項７記載のＱＲコード生成方法であって、ピクセルサイズを決定するステップにより決定されたピクセルサイズからＱＲコードのセルサイズ及びＱＲコードに埋め込むデータ量を決定することを特徴とする。
【００１７】
請求項９記載のＱＲコード生成システムは、ＱＲコードを表示可能な表示装置を備える移動通信端末と、複数の移動通信端末の端末情報とＱＲコードを読み取る読取装置の性能情報を管理する情報管理手段を備え、前記端末情報に基づいたＱＲコードを生成することができるＱＲコード生成サーバとを備え、前記移動通信端末が機種識別情報をＱＲコード生成サーバへ送信し、前記ＱＲコード生成サーバが機種識別情報を受信したら、前記端末情報管理手段に登録されている端末情報と前記機種識別情報とを比較し、該当する端末情報がある場合には、前記該当する端末情報から前記移動通信端末が備える表示装置の性能と前記読取装置の性能情報に対応したＱＲコードを生成し、前記生成したＱＲコードを前記移動通信端末へ送信することを特徴とする。
【００１８】
請求項１０記載のＱＲコード生成システムは、移動通信端末の機種識別情報を送信可能なクライアント端末と、ＱＲコードを表示可能な表示装置を備える移動通信端末と、複数の移動通信端末の端末情報とＱＲコードを読み取る読取装置の性能情報を管理する端末情報管理手段を有し、前記端末情報に基づいたＱＲコードを生成することができるＱＲコード生成サーバとを備え、前記クライアント端末は、前記ＱＲコード生成サーバへ前記移動通信端末の機種識別情報を送信し、前記ＱＲコード生成サーバが機種識別情報を受信したら、前記端末情報管理手段に登録されている端末情報と前記機種識別情報とを比較し、該当する端末情報がある場合には、前記該当する端末情報から前記移動通信端末が備える表示装置の性能と前記読取装置の性能情報に対応したＱＲコードを生成し、前記生成したＱＲコードを前記移動通信端末へ送信することを特徴とする。
【００１９】
請求項１１記載の発明は、請求項９または１０記載のＱＲコード生成システムであって、端末情報は、移動通信端末が備える表示装置の画面領域及び画面の表示領域のサイズであることを特徴とする。
【発明の効果】
【００２０】
本発明によれば、ＱＲコード生成サーバによって、移動通信端末が備える表示装置に最適なＱＲコードを提供することができ、ＱＲコードを読み取るＱＲコードリーダの読み取り精度を向上させることができる。
【発明を実施するための最良の形態】
【００２１】
次に、図面を参照して、本発明の実施形態を説明する。
図１は、ＱＲコード生成システムの構成を示した図である。
ＱＲコード生成システムは、ユーザ端末１０とＱＲコード生成サーバ２０、ネットワーク１００から構成されている。ＱＲコード生成サーバ２０は、プログラム制御により動作し、インターネット等のネットワーク１００を介してユーザ端末１０と相互に接続されている。
【００２２】
ユーザ端末１０は、携帯電話等の表示デバイスを備えた装置であり、ＱＲコードサーバ２０にアクセスし、生成したＱＲコードを表示する機能を備えている。また、ユーザ端末１０は、ユーザ端末の機種を識別するデータをＱＲコード生成サーバ２０に送信する機能を備えている。
【００２３】
ＱＲコード生成サーバ２０は、図２に示すように、端末情報リスト３０とＱＲコードリーダの性能情報リスト（図示せず）を備えたワークステーション・サーバ等の情報処理装置であり、ユーザ端末１０が送信した機種識別子を受信する機種識別子受信部２１とＱＲコードを作成するＱＲコード作成部２２と、該ＱＲコード作成部２２をユーザ端末１０へ送信するＱＲコード送信部２３を備えている。端末情報リスト３０は図４に示すように、各携帯電話の機種の画面サイズ、表示領域のサイズ（図５を参照）が登録されている。
【００２４】
［第１の実施形態］
次に、第１の実施形態におけるＱＲコード生成システムの処理動作を説明する。
図３に示すように、まず、ユーザ端末１０がネットワーク１００を介してＱＲコード生成サーバ２０へアクセスする（ステップＳ１００）。ユーザ端末１０はＱＲコード生成サーバ２０へユーザ端末１０の機種情報である機種識別子を送信する。ＱＲコード生成サーバ２０は、ユーザ端末１０から受信した機種識別子から端末情報リスト３０（図４を参照）に登録されている機種識別子に対応した機種の表示デバイスの画面サイズ縦、画面サイズ横、画面サイズ（インチ）を取得する（ステップＳ２００）。次に、ステップＳ２００で取得した画面サイズ縦、画面サイズ横、画面サイズ（インチ）からユーザ端末１０の表示デバイスのピクセルサイズを決定する（ステップＳ２０１）。
【００２５】
次に、表示デバイスのピクセルサイズと使用するＱＲコードリーダの分解能から、ＱＲコードのセルサイズを決定し（ステップＳ２０２）、ユーザ端末１０から受信した機種識別子から端末情報リスト３０に登録されている機種識別子に対応する機種の表示領域縦（ピクセル）、表示領域横（ピクセル）を取得する。次に、取得した表示領域縦（ピクセル）、表示領域横（ピクセル）、ＱＲコードのセルサイズよりＱＲコードの表示可能な最大バージョンを決定し（ステップＳ２０４）、ＱＲコードを埋め込むデータを生成する（ステップＳ２０５）。次に、ＱＲコードに埋め込むデータから生成するＱＲコードのバージョンを決定し（ステップＳ２０６）、生成したＱＲコードバージョンがＱＲコードの表示可能最大バージョンを上回らないかを判断する（ステップＳ２０７）。
【００２６】
生成したＱＲコードバージョンがＱＲコードの表示可能最大バージョンを上回る場合は（ステップＳ２０７／ＮＯ）、ステップＳ２０５へ戻り、ＱＲコードに埋め込むデータ量を減らし、ステップＳ２０６、Ｓ２０７の処理動作を繰り返す。また、生成したＱＲコードバージョンがＱＲコードの表示可能最大バージョンを上回らないと判断した場合には（ステップＳ２０７／ＹＥＳ）、次に、ＱＲコードを生成し（ステップＳ２０８）、ＱＲコードをユーザ端末１０へ送信する（ステップＳ２０９）。ユーザ端末１０は、ＱＲコード生成サーバ２０から受信したＱＲコードを表示デバイスに表示する（ステップＳ１０１）。
【００２７】
［第２の実施形態］
次に、第２の実施形態におけるＱＲコード生成システムについて説明する。
第２の実施形態では、図６に示すように、ユーザ端末１０、４０がネットワークを介してＱＲコード生成サーバと接続されている。ユーザ端末１０は、移動通信端末であり、ユーザ端末４０は、移動通信端末以外の表示デバイスを有するものである。第２の実施形態では、ユーザがユーザ端末１０以外の端末を用いて、ＱＲコード生成サーバ２０にユーザ端末１０の機種識別子を送信するものである。
【００２８】
図７に示すように、まず、ユーザ端末４０は、ＱＲコード生成サーバ２０にアクセス及びユーザ端末１０の機種識別子を送信する（ステップＳ３００）。ＱＲコードサーバ２０は、ユーザ端末４０からユーザ端末１０の機種識別子を機種識別子受信部２１が受信すると、端末情報リスト３０（図４を参照）から機種識別子に対応する機種の画面サイズ縦、画面サイズ横、画面サイズを取得する（ステップＳ４００）。
【００２９】
次に、ＱＲコード生成部２２により、まず、ステップＳ４００で取得した画面サイズ縦、画面サイズ横、画面サイズからユーザ端末１０の表示デバイスのピクセルサイズを決定する（ステップＳ４０１）。次に、ピクセルサイズ、分解能よりＱＲコードのセルサイズを決定し（ステップＳ４０２）、また、端末情報リスト３０より機種識別子に対応する表示領域縦、表示領域横を取得する（ステップＳ４０３）。
【００３０】
次に、表示領域縦、表示領域横、ＱＲコードのセルサイズよりＱＲコードの表示可能最大バージョンを決定し（ステップＳ４０４）、ＱＲコードに埋め込むデータを生成する（ステップＳ４０５）。次に、データから生成するＱＲコードのバージョンを決定し（ステップＳ４０７）、生成するＱＲコードバージョンがＱＲコードの表示可能最大バージョンを上回らないかを判断する（ステップＳ４０７）。
【００３１】
最大バージョンを上回る場合は（ステップＳ４０７／ＮＯ）、生成するデータ量を減らす。最大バージョンを上回らない場合（ステップＳ４０７／ＹＥＳ）、ＱＲコードを生成し（ステップＳ４０８）、ＱＲコード送信部２３によりユーザ端末１０へＱＲコードを送信し（ステップＳ４０９）、ユーザ端末１０は、ＱＲコード生成サーバ３０から送信されたＱＲコードを表示デバイスに表示する（ステップＳ５００）。
【図面の簡単な説明】
【００３２】
【図１】第１の実施形態におけるＱＲコード生成システムを示す図である。
【図２】本実施形態におけるＱＲコード生成サーバの構成を示す図である。
【図３】第１の実施形態におけるＱＲコード生成の処理動作を示したフローチャートである。
【図４】端末情報リストの一覧を示した図である。
【図５】表示デバイスの画面サイズ及び表示領域を示した図である。
【図６】第２の実施形態におけるＱＲコード生成システムを示す図である。
【図７】第２の実施形態におけるＱＲコード生成の処理動作を示したフローチャートである。
【符号の説明】
【００３３】
１０、４０    ユーザ端末
２０    ＱＲコード生成サーバ
２１    機種識別子受信部
２２    ＱＲコード生成部
２３    ＱＲコード送信部
３０    端末情報リスト
１００    ネットワーク
【図１】
2006252053.tif 000003
【図２】
2006252053.tif 000004
【図３】
2006252053.tif 000005
【図４】
2006252053.tif 000006
【図５】
2006252053.tif 000007
【図６】
2006252053.tif 000008
【図７】
2006252053.tif 000009